(57)【要約】伸張剥離可能な接着ストリップは、第１接着性領域を含む延伸可能なバッキング層と、第１接着性領域に隣接してバッキング層に接合された可撓性支持層とを含み、支持層は貼り直し可能な感圧接着剤の第２接着性領域を有する。接着ストリップをより取り扱いやすく、また書き込みやすくするために、支持層はバッキング層よりも剛い。【特許請求の範囲】
【請求項１】
伸張剥離可能な接着物品であって、
（ａ）第１曲げ強さを有する支持ストリップと、
（ｂ）前記支持ストリップに接合され、前記支持ストリップの第１曲げ強さよりも小さな第２曲げ強さを有する延伸性のあるバッキングストリップと、
（ｃ）前記伸張剥離可能な接着物品を基材に付着させるために、前記バッキングストリップの少なくとも一部分に配置された第１感圧接着剤の露出した第１接着性領域とを含む接着物品。
【請求項２】
前記支持ストリップの少なくとも一部分に設けられた、貼り直し可能な感圧接着剤の第２接着性領域をさらに含む、請求項１に記載の伸張剥離可能な接着物品。
【請求項３】
前記第１接着性領域が前記第２接着性領域に隣接している、請求項２に記載の伸張剥離可能な接着物品。
【請求項４】
前記バッキングストリップの少なくとも一部分に設けられた、貼り直し可能な感圧接着剤の第２接着性領域をさらに含む、請求項１に記載の伸張剥離可能な接着物品。
【請求項５】
前記第１接着性領域が前記第２接着性領域に隣接している、請求項４に記載の伸張剥離可能な接着物品。
【請求項６】
前記支持ストリップと前記バッキングストリップとが重なりあう関係に配置されている、請求項１に記載の伸張剥離可能な接着物品。
【請求項７】
前記第１接着性領域に隣接して、前記バッキングストリップの少なくとも一部分に設けられた、貼り直し可能な感圧接着剤の第２接着性領域をさらに含む、請求項６に記載の伸張剥離可能な接着物品。
【請求項８】
前記第１接着性領域に隣接して、前記支持ストリップの少なくとも一部分に設けられた、貼り直し可能な感圧接着剤による第２接着性領域をさらに含む、請求項６に記載の伸張剥離可能な接着物品。
【請求項９】
前記バッキングストリップが、破断点伸びが少なくとも５０％である延伸性フィルムの層を含む、請求項６に記載の伸張剥離可能な接着物品。
【請求項１０】
前記フィルムのヤング率が少なくとも２５０ｐｓｉである、請求項９に記載の伸張剥離可能な接着物品。
【請求項１１】
前記フィルムの厚みが約３００μｍ未満である、請求項１０に記載の伸張剥離可能な接着物品。
【請求項１２】
前記支持ストリップが、通常は非延伸性の可撓性ポリマー材料の層を含む、請求項６に記載の伸張剥離可能な接着物品。
【請求項１３】
前記支持ストリップの厚みが約１０μｍ〜約１５０μｍである、請求項１２に記載の伸張剥離可能な接着物品。
【請求項１４】
前記接着物品が、視覚的に特徴的な端部を前記第１接着性領域から離れたところに有する、請求項６に記載の接着ストリップ。
【請求項１５】
前記バッキングストリップが、対向する第１および第２主表面を有する第１端部と第１および第２主表面を有する第２端部とを含み、さらに前記第１接着性領域が前記バッキングストリップ第１端部の第１主表面に設けられ、前記支持ストリップが前記バッキングストリップ第２端部の第１主表面に沿って配置される、請求項６に記載の伸張剥離可能な接着物品。
【請求項１６】
前記バッキングストリップが、対向する第１および第２主表面を有する第１端部と第１および第２主表面を有する第２端部とを含み、さらに前記第１接着性領域が前記バッキングストリップ第１端部の第１主表面に設けられ、前記支持ストリップが前記バッキングストリップ第２端部の第１主表面に沿って配置され、前記第２接着性領域が前記第１主表面に隣接する前記バッキングストリップに隣接して前記支持ストリップ上に設けられている、請求項７に記載の伸張剥離可能な接着物品。
【請求項１７】
前記支持ストリップが、前記バッキングストリップと前記第２接着性領域との間に配置された第１端部と、前記バッキングストリップと前記第２接着性領域との間から外側に向かって延在する非接着性第２端部とを含む、請求項１６に記載の伸張剥離可能な接着物品。
【請求項１８】
前記支持ストリップが、前記バッキングストリップと前記第２接着性領域との間に配置された第１端部と、前記バッキングストリップ第２端部の少なくとも一部分の周りに延在する第２端部とを含む、請求項１６に記載の伸張剥離可能な接着物品。
【請求項１９】
前記バッキングストリップの少なくとも一部分が前記第１接着性領域と前記支持ストリップの第１端部との間に位置する、請求項６に記載の伸張剥離可能な接着物品。
【請求項２０】
前記支持ストリップが、前記バッキングストリップの少なくとも一部分に隣接して配置された第１端部と、前記第１端部から前記バッキングストリップを越えて延在し、かつ、前記バッキングストリップに隣接して前記第２接着性領域が設けられた中間部位と、前記中間部位から延在する非接着性第２端部とを含む、請求項１９に記載の伸張剥離可能な接着物品。
【請求項２１】
前記支持ストリップが、前記バッキングストリップ中にはめ込まれて取り囲まれた第１端部と、前記バッキングストリップから外側へ向かって延在する非接着性第２端部とを含む、請求項７に記載の伸張剥離可能な接着物品。
【請求項２２】
前記支持ストリップと前記バッキングストリップでは、末端が隣接し、対向する第１および第２主表面が同一平面上にある、請求項１に記載の伸張剥離可能な接着物品。
【請求項２３】
前記支持ストリップと前記バッキングストリップでは、末端が隣接し、対向する第１および第２主表面が同一平面上にあり、さらに前記第１接着性領域が前記バッキングストリップ第１主表面に設けられ、前記第２接着性領域が前記第１接着性領域に隣接して前記支持ストリップ第１主表面に設けられる、請求項２に記載の伸張剥離可能な接着物品。
【請求項２４】
前記バッキングストリップが支持層の一方の端部でその端部を包み込むように折り返されており、さらに前記バッキング層が、前記支持層の第１主表面に取り外しができるように付着させた第１端部と、前記第１主表面と対向する前記支持層の第２主表面に付着させた第２端部と、前記第１端部と前記第２端部をつなぐヒンジ部とを含み、それによって、前記バッキング層第１端部が前記支持層から分離することが可能であり、前記支持層を旋回させて前記物品を表面から伸張して取り外すことができる、請求項２に記載の伸張剥離可能な接着物品。
【請求項２５】
（ａ）対向する第１および第２主表面ならびに第１および第２端部とを有し、前記第１端部の第１面には永久感圧接着剤の第１接着性領域を含む、延伸性バッキング層と、
（ｂ）前記第１接着性領域に隣接して前記バッキング層の第１面に付着し、前記バッキング層の反対側に前記第１接着性領域に隣接して貼り直し可能な感圧接着剤の第２接着性領域を含む可撓性支持層とを含む、項目に一時的に目印をつけるための伸張により取り外し可能なテープフラッグであって、
前記支持層の曲げ強さが前記バッキング層の曲げ強さよりも大きいテープフラッグ。
【請求項２６】
（ａ）伸張により取り外し可能な複数の接着シートであって、それぞれの前記接着シートが、第１曲げ強さを有する支持ストリップと、前記支持ストリップに付着し前記支持ストリップの第１曲げ強さよりも小さい第２曲げ強さを有する延伸性のあるバッキングストリップと、前記伸張剥離可能な接着物品を基材に接着するために前記バッキングストリップの少なくとも一部分に配置された第１感圧接着剤による露出した第１接着領域とを含む複数の接着シートと、
（ｂ）前記シート束を配置するチャンバーを画定する壁面を有し、前記壁面が、前記シート束の一番上のシートの端部がそこからとび出る横スロットを含む頂部壁を含む筐体とを含む、ディスペンサー容器。
【発明の詳細な説明】
【技術分野】
【０００１】
本発明は、一般的には、文書中のある箇所に目印をつけるために用いられるテープストリップに関し、さらに具体的には、文書に確実に付着させることができ、その後、テープストリップを伸張することによって文書を傷つけることなくきれいに取りはずすことができるテープストリップに関する。
【背景技術】
【０００２】
ミネソタ・マイニング・アンド・マニュファクチャリング・カンパニー（Ｍｉｎｎｅｓｏｔａ  Ｍｉｎｉｎｇ  ａｎｄ  Ｍａｎｕｆａｃｔｕｒｉｎｇ  Ｃｏｍｐａｎｙ）によって販売され、広く用いられている「ポストイット（Ｐｏｓｔ−Ｉｔ（登録商標））フラッグス」などの貼り直し可能なテープストリップまたはテープフラッグは、全世界で、文書中の箇所に一時的に目印をつける主要な事務用備品となった。こうしたテープフラッグは特許取得済みの先行技術から公知である。例えば、米国特許第４，９０７，８２５号明細書（マイルズ（Ｍｉｌｅｓ）ら）および米国特許第４，７７０，３２０号明細書（マイルズ（Ｍｉｌｅｓ）ら）に記載のシートは、可撓性ポリマー材料による細長い層を有し、その第１端部に沿った側は両面とも接着剤が付いていないのに対して、第２端部に沿った側の両面のうちの一方には貼り直し可能な感圧接着剤の塗膜を有する。このようなテープフラッグまたはシートは、文書の目印をつけた箇所が直ぐにわかるように第１端部が文書の端から突き出すようにして第２端部をその箇所に貼りつけることによって、文書中のある箇所に目印をつけるのに有用である。
【０００３】
テープフラッグは、通常、貼り直し可能な接着剤が設けられ、文書を傷つけることなくテープフラッグを貼り直したり文書から取り外すことができた。しかしながら、こうした構造はテープフラッグが不用意に文書からとれる可能性があるという認識につながっている。これは、重要な医療および法律文書などの特定の文書に印をつけた際には特に懸念される。結果として、確実に文書に付着することができる一方、文書を傷つけずにきれいに取り外すことができるテープフラッグへの必要性が存在している。
【発明の開示】
【発明が解決しようとする課題】
【０００４】
そこで、貼り直し可能な接着剤の接着強さよりも大きな接着強さを有する接着剤を用いて文書に確実に付着させることができ、その一方で文書を損なうことなく文書からきれいに取り外すことができるテープフラッグを提供することが所望されていた。
【課題を解決するための手段】
【０００５】
本発明は伸張剥離可能な接着物品を提供するもので、該物品は、第１曲げ強さを有する支持ストリップと、該支持ストリップに接合され、支持ストリップの曲げ強さよりも曲げ強さが小さいバッキングストリップと、伸張剥離可能な接着物品を基材に付着させるためにバッキングストリップの少なくとも一部分に配置された第１感圧接着剤が露出した第１接着性領域とを含む。
【０００６】
実施形態の１つとして、伸張剥離可能な接着物品が、第１接着性領域に隣接して、支持ストリップの少なくとも一部分に貼り直し可能な感圧接着剤の第２接着性領域を含む。別の実施形態では、貼り直し可能な感圧接着剤の第２接着性領域が、第１接着性領域に隣接してバッキングストリップの少なくとも一部分に設けられる。
【０００７】
別の実施形態では、支持ストリップとバッキングストリップが重なり合う関係に配置されている。さらに別の実施形態では、支持ストリップとバッキングストリップの末端が隣接し、対向する第１および第２主表面を同一平面状に有する。
【０００８】
本発明の態様の１つにおいて、バッキングストリップが少なくとも５０％の破断点伸びを示す伸張可能なフィルム層を有する。このフィルムは、通常少なくとも２５０ｐｓｉ、好ましくは少なくとも５００ｐｓｉ、より好ましくは少なくとも７５０ｐｓｉのヤング率を有する。伸張可能なフィルムの厚みは、通常約３００μｍ未満、好ましくは約２５０μｍ未満、より好ましくは約２００μｍ未満である。また本発明のもう１つの態様では、支持ストリップが通常は延伸しない可撓性ポリマー材料による層である。支持ストリップの厚みは、通常約１０〜約１５０μｍ、好ましくは約１５〜約１２５μｍ、より好ましくは約２０〜約７５μｍの範囲である。
【０００９】
本発明の特定の実施形態において、バッキングストリップが、対向する第１および第２主表面を有する第１端部と、第１および第２主表面を有する第２端部とを含み、第１接着性領域がバッキングストリップ第１端部の第１主表面上に設けられ、支持ストリップがバッキングストリップの第２端部の第１主表面に沿って配置されている。
【００１０】
別の実施形態では、バッキングストリップが、対向する第１および第２主表面を有する第１端部と、第１および第２主表面を有する第２端部とを含み、第１接着性領域がバッキングストリップ第１端部の第１主表面上に設けられ、支持ストリップがバッキングストリップの第２端部の第１主表面に沿って配置され、第２接着性領域が第１主表面に隣接するバッキングストリップに隣接して支持ストリップ上に設けられている。
【００１１】
別の実施形態では、支持ストリップが、バッキングストリップと第２接着性領域との間に配置された第１端部を含み、さらにバッキングストリップと第２接着性領域との間から外側に向かって延在する非接着性第２端部を含む。
【００１２】
また別の実施形態では、支持ストリップが、バッキングストリップと第２接着性領域との間に配置された第１端部を含み、さらにバッキングストリップ第２端部の少なくとも一部分の周りに延在する第２端部を含む。
【００１３】
別の実施形態では、バッキングストリップの少なくとも一部分が第１接着性領域と支持ストリップの第１端部との間に位置している。支持ストリップは、バッキングストリップの少なくとも一部分に隣接した第１端部と、支持ストリップ第１端部からバッキングストリップを越えて延在する中間部位と、中間部位から延在する非接着性第２端部とを含む。中間部位にはバッキングストリップに隣接して第２接着性領域が設けられている。
【００１４】
別の実施形態では、支持ストリップが、バッキングストリップ中にはめ込まれてバッキングストリップに取り囲まれた第１端部と、バッキングストリップから外側へ向かって延在する非接着性第２端部とを含み、第１および第２接着性領域の両方ともバッキングストリップ上に設けられている。
【００１５】
さらに本発明の別の実施形態では、支持ストリップとバッキングストリップとが共通の長手方向軸を有し、末端が隣接し、対向する第１および第２主表面とが同一平面状にある、伸張剥離可能な接着物品が提供される。第１接着性領域はバッキングストリップ第１主表面に設けられ、第２接着性領域は第１接着性領域に隣接して支持ストリップ第１主表面に設けられる。
【００１６】
また別の実施形態では、バッキングストリップが支持層の一方の端部でその端部を包み込むように折り返されており、バッキング層は、支持層第１主表面に取り外しができるように付着させた第１端部と、第１主表面と対向する支持層の第２主表面に付着させた第２端部と、第１端部を第２端部につなぐヒンジ部とを含む。このようになっていることによって、バッキング層の第１端部は支持層から分離することが可能であり、支持層を旋回させて物品を表面から伸張して取り外すことができる。
【００１７】
特定の実施形態において、本発明は、項目に一時的に目印をつけるための伸張により取り外し可能なテープフラッグを提供するもので、テープフラッグは延伸性のあるバッキング層と可撓性支持層とを含み、バッキング層は対向する第１および第２主表面ならびに第１および第２端部とを有し、第１端部第１面には永久感圧接着剤からなる第１接着性領域が含まれ、前述の可撓性支持層は、第１接着性領域に隣接してバッキング層第１面に付着し、支持層は、バッキング層とは反対側に第１接着性領域に隣接して貼り直し可能な感圧接着剤による第２接着性領域を含む。このテープフラッグにおいて、支持層の曲げ強さのほうがバッキング層の曲げ強さよりも大きい。
【００１８】
本発明のさらに別の態様においては、伸張により取り外し可能な複数の接着シートを収容するディスペンサー容器を提供するもので、各接着シートは、第１曲げ強さを有する支持ストリップと、支持ストリップに付着し、支持ストリップの第１曲げ強さよりも小さい第２曲げ強さを有する延伸性のあるバッキングストリップと、伸張剥離可能な接着物品を基材に接着するためにバッキングストリップの少なくとも一部分に配置された第１感圧接着剤の露出した第１接着性領域とを含む。筐体は、シート束を配置するチャンバーを画定する壁面を有し、壁面のなかには、シート束の一番上のシートの端部がそこからとび出る横スロットを備えた頂部壁が含まれる。
【００１９】
本願出願において、
「永久感圧接着剤」とは、貼り直し可能な接着剤の剥離強度よりも大きい高剥離強度を有する感圧接着剤を指す。
【００２０】
「貼り直し可能な感圧接着剤」とは、対象物を傷つけずに繰り返し対象物から外したり貼ることが可能なタイプの感圧接着剤を指す。
【００２１】
添付の図面を参照しながら本発明をさらに詳細に説明するが、図中の同様の参照番号はいくつかの図面すべてを通して同等または相当する部分を指す。
【発明を実施するための最良の形態】
【００２２】
図面について説明するが、いくつかの実施形態において機能的に同様な機構については数を１００ずつ増やした類似の参照番号で示されている。図１および図２は、伸張剥離可能なテープフラッグ２を示すが、これは、第１感圧接着剤（ＰＳＡ）による第１接着性領域６を有する細長い長方形のバッキング層４を含む伸張剥離可能なテープストリップ３と、細長い長方形の支持層８および第２ＰＳＡによる第２接着性領域１０とを含む支持テープストリップ７とを備えている。バッキング層４と支持層８は、同時押出成形、接着による結合、積層、熱溶接、または他の公知の技術によって接合すればよい。
【００２３】
バッキング層４は、第１末端１２および第２末端１４、対向する第１主表面１６および第２主表面１８、第１接着性領域６に隣接する第１端部４ａ、および支持層８に隣接する第２端部４ｂとを有する、伸張可能または延伸可能な材料による薄いフレキシブルシートである。支持層８は、バッキング層４の第２端部４ｂの第１主表面１６側に沿って、第１接着性領域６近傍から第２末端１４まで広がり貼り付けられており、バッキング層の第２端部４ｂと第２接着性領域１０との間に配置される第１端部８ａと、第２接着性領域１０を超えてバッキング層の第２端部４ｂに隣接して広がる第２端部８ｂとを含む。支持層８は、通常、非伸縮性または非延伸性材料による薄いフレキシブルシートである。
【００２４】
好適な伸張剥離可能なテープストリップ３は、強力な定着力を有しつつも伸張によって表面からきれいに取り外せる延伸性のある粘着テープストリップを含む。こうした粘着テープストリップは、特許取得済みの先行技術から公知である。例えば、米国特許第４，０２４，３１２号明細書（コープマン（Ｋｏｒｐｍａｎ））には、接着層に積層された非常に延伸性がある弾性バッキングフィルムを含む高い適合性を有する接着テープが開示されている。バッキングフィルムの長手方向への破断点伸びは少なくとも約２００％である。テープは伸びやすく、表面に対して実質的に平行な方向にテープ長手方向を伸張することによってテープをその表面から取り去ることができる。
【００２５】
さらに、伸張剥離可能なテープストリップ３は、それ自体で接着性領域６を形成する固形の感圧接着剤であってもよく、そうすれば、これ以外の場合は非付着性であるバッキング層４に別個にＰＳＡを塗布する必要がなくなる。好適な固形感圧接着剤については独国特許第３３  ３１  ０１６号明細書に開示されているが、ここには、熱可塑性ゴムと粘着性付与樹脂を基礎とした高弾性かつ低可塑性の接着フィルムであって、接着フィルムを接着層の面方向に伸張することによって接着層を破壊することができるフィルムが開示されている。
【００２６】
米国特許第６，２３１，９６２号明細書（ブリース（Ｂｒｉｅｓ）ら）には、ポリマーフォームによる層を含むバッキング材と、バッキング材の少なくとも１つの表面上に塗布された感圧接着剤による層とを含む取り外し可能な発泡接着剤テープが開示されている。バッキング材のフォーム層の厚みは約３０〜約１０００ミルであり、バッキング材の長手方向の破断点伸びは約５０〜約１２００％、ヤング率は約２４００ｐｓｉ未満である。
【００２７】
伸張剥離可能な好ましいテープ部３については、クレケル（Ｋｒｅｃｋｅｌ）らに付与された米国特許第５，５１６，５８１号明細書に開示されているが、ここには、感圧接着剤による層が塗布された、非常に延伸性があり、かつ実質的に非弾性のバッキング材を有する取り外し可能な接着テープが開示されている。この接着テープは、テープを貼り付けている基材表面と実質的に平行な方向にテープを伸張することによって基材を傷つけることなく基材から取り去ることができる。テープバッキング材の長手方向の破断点伸びは約１５０〜約１２００％、ヤング率は少なくとも約２５００ｐｓｉ〜約７２５００ｐｓｉ、伸張して取り去った後の弾性回復率は約５０％未満である。
【００２８】
バッキング層４に適した具体的な材料としては、高密度ポリエチレン、低密度ポリエチレン、線状低密度ポリエチレン、線状超低密度ポリエチレンをはじめとするポリエチレン、ポリプロピレンおよびポリブチレンなどのポリオレフィン類；可塑化したものもしていないものも両方を含むポリ塩化ビニルやポリ酢酸ビニルなどのビニル共重合体；エチレン／メタクリレート共重合体、エチレン／酢酸ビニル共重合体、アクリロニトリル−ブタジエン−スチレン共重合体およびエチレン／プロピレン共重合体などのオレフィン系共重合体；アクリルポリマーおよび共重合体；ならびに上記を組み合わせたものが挙げられる。プラスチック材料の混合物または配合物、あるいはプラスチック材料とエラストマー材料との混合物または配合物、たとえばポリプロピレン／ポリエチレン、ポリウレタン／ポリオレフィン、ポリウレタン／ポリカーボネート、ポリウレタン／ポリエステルなども使用することができる。バッキング層４の好ましい材料は、Ａが非常にアタクチックなポリプロピレンで、Ｂ層がオクタン共重合体であるところのＡＢＡ同時押出フィルムである。
【００２９】
バッキング層４は、単層もしくは多層フィルム、不織フィルム、多孔質フィルム、発泡状フィルム、およびこれらの組み合わせの形状とすることができる。バッキング材は、充填剤の材料、例えば炭酸カルシウム入りポリオレフィン類のような充填剤入りフィルムから作製することができる。バッキング層４はポリエチレンフィルムおよびポリプロピレンフィルムから選択することが好ましく、最も好ましい材料は線状低密度ポリエチレンおよび超低密度ポリエチレンフィルムである。
【００３０】
好ましいバッキング層４のヤング率は少なくとも約２５０ｐｓｉ、好ましくは少なくとも約５００ｐｓｉ、さらに好ましくは少なくとも約７５０ｐｓｉであるが、通常、約７２５００ｐｓｉ未満、好ましくは約５００００ｐｓｉ未満、さらに好ましくは約５００〜約３００００ｐｓｉの範囲である。また、好ましいバッキング層は高い引張強さを有し、長手方向破断点伸びが約５０〜約１２００％、好ましくは約１５０〜約７００％、さらに好ましくは約３５０〜約７００％である。好ましいバッキング層は、加工、取り扱いやすさに十分な整合性を備えていればいかなる厚みであってもよく、約１０μｍ〜２５０μｍの範囲の厚みが好ましいが、本、文書等に付けた際に体裁悪く膨らまないように十分薄いことが好ましい。
【００３１】
支持層８は、通常、バッキング層４の曲げ強さよりも大きい曲げ強さまたは曲げ剛性を有する非延伸性フィルムである。支持層８が設けられるのは、バッキング層４が通常は非常に薄く取り扱いが困難な薄いフィルムから作製されるからである。支持層のこしによって、テープフラッグに十分な剛さが備わり、テープフラッグは取り扱いやすく、そこに書き込みしやすくなる。
【００３２】
支持層８の好適な材料としては、ポリメタクリル酸メチル、ポリカーボネート、ポリエチレンテレフタレート（ＰＥＴ）、ポリスチレン、ポリイミド、酢酸セルロースなどのフィルムが挙げられる。フィルムとしては、不織布フィルム、織物フィルム、多孔質フィルム、発泡フィルムが挙げられる。また、支持層材料には有機または無機の充填剤がフィルムに分散されて含まれてもよい。無機充填剤としては、炭酸カルシウム、酸化チタン、シリカ等が挙げられる。このような充填剤はフィルム剛性を高め、降伏点伸びを下げてフィルムが容易に切れることを防ぎ、破断強さを下げるのに有効である。好ましい支持層は厚みが１．８ミル（４５．７μｍ）のＰＥＴフィルムである。
【００３３】
第１接着領域６は、バッキング層４の第１端部４ａの第１主表面１６に沿って第１末端１２から支持層８に隣接するまで延在する。第２接着性領域１０は、第１接着性領域６に隣接して支持層８の一方の端部に沿って延在する。本発明の特徴として、第１接着領域６の接着強さは、第２接着性領域１０よりも大きい。第１接着性領域６は永久感圧接着剤（即ち、剥離強さの高い接着剤）であることが好ましく、第２接着性領域１０は、貼り直し可能な感圧接着剤（即ち、対象物を傷つけずに繰り返し対象物から取り外したり取り付けたりすることができるタイプの接着剤）であることが好ましい。
【００３４】
第１接着性領域６用として好適なＰＳＡとしては、天然ゴムなどの粘着性を強めたゴム系接着剤；オレフィン類；シリコーン類；ポリイソプレン、ポリブタジエン、およびスチレン−イロプレン−スチレン、スチレン−エチレン−ブチレン−スチレン、スチレン−ブタジエン−スチレンブロック共重合体、および他の合成エラストマーなどの合成ゴム系接着剤；ならびにイソオクチルアクリレートとアクリル酸との共重合体などの粘着性を付与もしくは付与していないアクリル系接着剤で、放射線重合、溶液重合、懸濁重合または乳化重合で得られる共重合体が挙げられる。合成ゴム系接着剤、アクリル類、アクリルアミド類が好ましい。
【００３５】
貼り直し可能な接着剤を含む第２接着性領域１０用の好適なＰＳＡとしては、米国特許第３，６９１，１４０号明細書（シルバー（Ｓｉｌｖｅｒ））、同３，８５７，７３１号明細書（メリル（Ｍｅｒｒｉｌｌ）ら）、同４，１６６，１５２号明細書（ベイカー（Ｂａｋｅｒ）ら）、および同５，５７１，６１７号明細書（クープライダー（Ｃｏｏｐｒｉｄｅｒ）ら）に開示されているような固形の元来粘着性のあるエラストマーミクロスフェア（小球）を基にした接着剤の部類からのものが挙げられるが、上記の例に限定されるものではない。
【００３６】
また、先行技術から公知なように、剥離ライナー（図示せず）を接着性領域６および１０に設けて、使用する前に接着面が汚れないようにしたり、またテープフラッグが使用前に意図しない表面または対象物にうっかり貼りついてしまわないようにすることもできる。ライナーとしての使用に適した材料の例としては、クラフト紙、ポリエチレン、ポリプロピレン、ポリエステルまたはこれらの材料いずれかの複合物が挙げられ、これらにフルオロケミカルまたはシリコーンなどの剥離剤を塗布すればよい。
【００３７】
図３ａ〜図３ｃは、テープフラッグ２が本２２の特定のページ２０をマークするために用いられて、本から取りはずされるところを示す。ページ２０に貼りつけられている際は、テープフラッグ２の第１接着性領域６および第２接着性領域１０の両方がページ２０に接着し、終端部２４が本２２の端２６から突出している。
【００３８】
本２２からテープフラッグ２を取り外すには、図３ｂの矢印Ａで示すように本２２から上側に終端部２４を旋回させ、第２接着性領域１０（貼り直し可能な接着剤を含む）をページ２０から分離させる。いったん第２接着性領域１０がページ２０から離れると、図３ｃの矢印Ｆで示した方向にテープフラッグ２の終端部２４の方へ力を加えることによって、テープフラッグ２は本から完全に取り外され、それによってバッキング層４と第１接着性領域６が伸張されることになる。伸張されるとバッキング層４は伸長し、２８の場所でしぼりこまれ、これによって第１接着性領域６はページ２０を傷つけることなくページ２０から徐々に、かつきれいに剥離される。このようにして、テープフラッグ２は永久接着剤を用いて確実に本に付着され、テープフラッグが本から不用意に離れ落ちる可能性を最小限にすることができる一方、テープフラッグを取り外したい時には基材を損なうことなく簡単に、きれいに取り除くことができる。
【００３９】
図４を説明する。本発明の第２の実施形態であるテープフラッグ１０２が示されているが、このテープフラッグは、第１ＰＳＡによる第１接着性領域１０６を有する延伸性のあるバッキング層１０４と、第２ＰＳＡによる第２接着性領域１１０を有する通常は非延伸性の支持層１０８とを含む。バッキング層は、第１接着性領域１０６に隣接する第１端部１０４ａと、支持層１０８の第１端部１０８ａに隣接する第２端部１０４ｂとを含む。支持層１０８は、バッキング層１０４の第２端部１０４ｂと第２接着性領域１１０との間に位置する第１端部１０８ａと、バッキング層１０４の第２末端１１４を超えて延在する露出した第２端部１０８ｂとを含む。このように、図４のテープフラッグは、バッキング層１０４の第２端部１０４ｂが支持層１０８の第１端部１０８ａのみに沿って延在していることと、支持層１０８の第２端部１０８ｂがバッキング層の末端１１４を超えて延在していることを除けば図１〜図３に示したテープフラッグと同様である。
【００４０】
図５には、本発明の第３の実施形態であるテープフラッグ２０２が示されているが、このテープフラッグは、第１ＰＳＡによる第１接着性領域２０６を有する延伸性のあるバッキング層２０４と、第２ＰＳＡによる第２接着性領域２１０を有する通常は非延伸性の支持層２０８とを含む。バッキング層２０４は、第１接着性領域２０６に隣接する第１端部２０４ａと、支持層２０８に両側を囲まれた第２端部２０４ｂとを含む。支持層２０８は、バッキング層の第２端部２０４ｂと第２接着性領域２１０との間に位置する第１端部２０８ａと、折りたたまれてバッキング層の第２端部２０４ｂと積層関係をなし、それによってバッキング層の第２端部２０４ｂの周囲に延在する第２端部２０８ｂとを含む。
【００４１】
図６には、本発明の第４の実施形態であるテープフラッグ３０２が示されているが、このテープフラッグは、第１ＰＳＡによる第１接着性領域３０６を有する延伸性のあるバッキング層３０４と、第２ＰＳＡによる第２接着性領域３１０を有する通常は非延伸性の支持層３０８とを含む。バッキング層３０４の一部が、第１接着性領域３０６と支持層の第１端部３０８ａの中の第１セクション３０８ａ”との間に挟まれている。支持層３０８は、第１端部３０８ａと第２端部３０８ｂとを含み、第１端部３０８ａには、バッキング層３０４に隣接して配置される第１セクション３０８ａ”と、第２接着性領域３１０に隣接して配置される第２セクション３０８ａ’とが含まれる。第２端部３０８ｂは第２接着性領域３１０を超えて延び、両側とも露出している。
【００４２】
図７には、本発明の第５の実施形態であるテープフラッグ４０２が示されているが、このテープフラッグは、第１ＰＳＡによる第１接着性領域４０６と第２ＰＳＡによる第２接着性領域４１０とを有する延伸性のあるバッキング層４０４と、通常は非延伸性の支持層４０８とを含む。第１接着性領域４０６はバッキング層４０４の第１端部４０４ａ上に位置し、第２接着性領域４１０は第１接着領域４０６に隣接してバッキング層４０４の第２端部４０４ｂ上に位置する。このため、図７に示す実施形態においては、第１接着性領域４０６および第２接着性領域４１０の両方がバッキング層４０４上に配置されている。支持層４０８は、バッキング層４０４の中に配置される第１端部４０８ａと、バッキング層第２端部４０４ｂの末端４１４を超えて延在する露出した第２端部４０８ｂとを有する。あるいは、支持層４０８をバッキング層４０４の中にはめ込むのではなくバッキング層４０４に積層するか、さもなければ固定してもよい。
【００４３】
図８には、本発明の第６の実施形態が示されているが、この実施形態においてはバッキング層５０４と支持層５０８とが長手方向に共通軸を有し、対向する第１および第２主表面が同一平面状である。バッキング層５０４と支持層５０８とは同時押出成形によって形成することが好ましい。第１ＰＳＡによる第１接着性領域５０６はバッキング層５０４上に設けられる。図９に示すテープフラッグ６０２は、支持層６０８の第１端部６０８ａに第２ＰＳＡによる第２接着性領域６１０がさらに設けられていることを除けば、図８に示すテープフラッグと同様である。
【００４４】
図１０ａ〜図１０ｃは、本発明の第７実施形態が折りたたまれた状態（図１０ａ）、および取り外す際に折りたたまれていたものが開かれる様子（図１０ｂおよび図１０ｃ）を示す。テープストリップ７０３は、延伸性のあるバッキング層７０４と、非延伸性の支持層７０８と、永久感圧接着剤の第１接着性層７０６と、貼り直し可能な感圧接着剤の第２接着性層７１０とを含む。テープストリップ７０３の初期状態は折り曲げられた状態であり、この状態において、バッキング層７０４が支持層７０８の端部を包み込んでいる。バッキング層は、第２接着性層７１０によって支持層７０８に取り外し可能な状態で接着している第１端部７０４ａと、第１端部７０４ａの反対側で支持層７０８に付着する第２端部７０４ｂと、第１端部７０４ａと第２端部７０４ｂとをつなぐヒンジ部７０４ｃとを有する。
【００４５】
テープストリップ７０３を本７２２から取り外すには、図１０ｂの矢印Ａで示すように支持層７０８を上方向に旋回させ本７２２から離し、それによって第２接着性層７１０をバッキング層７０４から分離させる。その後、図１０ｃに示したように、支持層７０８に力Ｆを加えることによって、テープストリップ７０３を本７２２から伸張して取り外すことができる。
【００４６】
また、図１〜図１０で示し説明したそれぞれの伸張剥離可能なテープフラッグは、１枚１枚がお互いに剥離可能な状態で付着しあってポップアップ式ディスペンサーから１枚ずつ取り出すことができるフラッグの束を形成してもよい。図１１は、テープフラッグ８３０の束をディスペンサー８３２中に配列したところを示す。ディスペンサー８３２には、テープフラッグ８３０の束が中に配置されるチャンバー８３３を画定する壁面と、フラッグ束８３０の一番上のテープフラッグ８３８がそこからとび出る横スロット８３６を有する頂部壁８３４とを含む。
【００４７】
フラッグ束８３０の各テープフラッグ８３８、８４０、８４２、８４４は、図１〜図３に示したテープフラッグ２と同じ構造を有している。各テープフラッグ８３８、８４０、８４２、８４４は３つのセクションを有し、第１接着性領域８０６を含む第１端部セクション８４６と、第２接着性領域８１０を含む中間セクション８４８と、接着剤のない第２端部セクション８５０である。テープフラッグ８３８、８４０、８４２、８４４は、交互またはジグザグ状態に配列され、テープフラッグ束８３０中、連続的に並ぶテープフラッグのそれぞれの第１端部セクション８４６が次のテープフラッグの第２端部セクション８５０に隣接して配置されている。
【００４８】
ディスペンサー８３２から１枚のテープフラッグを取り出すには、１番上のテープフラッグ８３８の第２端部セクション８５０を持ち上げて、その下のテープフラッグの第２端部セクション８５０がスロット８３６から出るまで引っ張る。取り出し中にディスペンサー８３２の頂部壁８３４は上方向に撓むこともある。連続するテープフラッグ間の付着力は、２番目のテープフラッグ８４０をスロット８３６から引き上げるのに十分な大きさである一方、束の残りのテープフラッグがスロット８３６から引き上げられる前に１番上のテープフラッグ８３８が２番目のテープフラッグから離れるのに十分な低い付着力である。連続するテープフラッグ間の適当な付着力レベルを得るには、各テープフラッグ８３８、８４０、８４２、８４４の第２主表面８１８に低接着力の裏糊付けを設けることが好ましい。
【００４９】
本願明細書で説明した本発明をさらに十分に理解できるように、実施例を以下に示す。実施例は説明目的のみと解釈すべきであり、いかなる方法によっても本発明を限定するものとして解釈されるべきではない。
【実施例】
【００５０】
上述の図１〜図３に示すタイプの伸張剥離可能なテープフラッグを以下のようにして作製した。延伸可能なバッキング層は、日本の豊橋市のアイセロ化学株式会社によって販売されているＡＢＡ同時押出フィルムで、Ａは高アタクチックポリプロピレンで、Ｂ層はＬＬＤＰＥ／オクタン共重合体であった。バッキング層のヤング率は９２３ｐｓｉ、破断点伸びは６５０％、ＭＤテーバー剛度は０．０７３ｇ−ｃｍ、ＣＤテーバー剛度は０．０６２ｇ−ｃｍ、厚みは５０．８μｍであった。
【００５１】
非延伸性支持層は、ミネソタ州セントポールの３Ｍ社から販売されているポリエチレンテレフタレートフィルムであった。支持層のヤング率は１３，６３２ｐｓｉ、破断点伸びは２１８％、ＭＤテーバー剛度は３．９１ｇ−ｃｍ、ＣＤテーバー剛度は５．２６ｇ−ｃｍ、厚みは１１７μｍであった。
【００５２】
引張伸び試験はＡＳＴＭ  Ｄ−３７５９に準拠して行い、５インチ（１２７．０ｍｍ）の標点距離で１分間で５インチ（１２７．０ｍｍ）の速度で１インチ（２５．４ｍｍ）幅の試験ストリップを使った。テーバー剛度は、試験ストリップサイズを１  １／２インチ×０．３９インチ（３８．１ｍｍ×１０ｍｍ）としてＡＳＴＭ  Ｄ５６５０−９７に従って測定した。
【００５３】
延伸性のあるバッキングフィルムには、米国特許第６２５１５１２号明細書に記載の艶消塗料を塗布した。この艶消塗料は、ＢＦグッドリッチ社（ＢＦ  Ｇｏｏｄｒｉｃｈ）のアクリルポリマー分散液「Ｃａｒｂｏｓｅｔ５１１」と、ＢＦグッドリッチ社（ＢＦ  Ｇｏｏｄｒｉｃｈ）のアクリルポリマー分散液「ＺＩＮＰＯＬ５２３」と、エアープロダクツ社（Ａｉｒ  Ｐｒｏｄｕｃｔｓ）の消泡剤「サーフィノール（ＳＵＲＦＹＮＯＬ）  ＤＦ−１１０Ｄ」と、グレースデビソン社（Ｇｒａｃｅ  Ｄａｖｉｓｏｎ）のシリカ（５μｍ）「ＳＹＬＯＩＤ７４」と、ＢＡＳＦ社の架橋ポリビニルピロリドン（６μｍ）「ルビクロス（ＬＵＶＩＣＲＯＳＳ）Ｍ」との混合物であった。さらに、シリコーンポリウレア剥離剤を３００ラインのＯｈｉｏグラビアロールを用いてバッキングフィルムの艶消表面に塗布した。艶消していない方の表面には、酸化亜鉛と塩素化ポリプロピレンを含む下塗剤を３００ラインのＯｈｉｏグラビアロールを用いて塗布した。最後に、リバースキスグラビアロール塗布法によって、バッキングフィルムの下塗りした表面に４インチ×６インチ（１０１．６ｍｍ×１５２．４ｍｍ）につき４．０グレーン（０．２６ｇ）の９６／４のイソオクチルアクリレート／アクリルアミド感圧永久接着剤を塗布した。
【００５４】
バッキング層と同じ方法でポリエチレンテレフタレートフィルムに艶消塗料、剥離剤、下塗剤および接着剤を塗布して、伸張剥離可能なテープフラッグの支持層を作製した。支持層の場合は、支持層に、貼り直し可能な感圧接着剤をストライプ状に塗布し、着色インクをストライプ状に印刷した。
【００５５】
ロール状の非延伸性支持層帯をロール状の延伸性のあるバッキング層に積層してロール状に巻き取った。延伸性のあるバッキング層は幅６インチ（１５２．４ｍｍ）で、支持層帯の幅は０．６２５インチ（１５．８８ｍｍ）だった。その後、６インチ（１５２．４ｍｍ）幅のマスター材料を横方向に切って幅０．５インチ（１２．７ｍｍ）×長さ１．６２５インチ（４１．２８ｍｍ）の寸法のテープフラッグを得た。できあがった構造物は図１〜図３に示されているが、永久感圧接着剤が延伸性のあるバッキング層を非延伸性支持層に接着させる役目も果たしている。
【００５６】
３枚の伸張剥離可能なテープフラッグを、以下の紙またはコート紙のそれぞれに貼付した。
【００５７】
ボンド紙：ハンマーミルコピープラス（Ｈａｍｍｅｒｍｉｌｌ  ＣｏｐｙＰｌｕｓ）００５００−７  標準重量２０／５０ｌｂ、テネシー州メンフィスのインターナショナルペーパーカンパニー（Ｉｎｔｅｒｎａｔｉｏｎａｌ  Ｐａｐｅｒ  Ｃｏｍｐａｎｙ，  Ｍｅｍｐｈｉｓ，Ｍｅｍｐｈｉｓ，Ｔｅｎｎｅｓｓｅｅ）
【００５８】
マニラ紙ホルダー：グローブワイズ（Ｇｌｏｂｅ−Ｗｅｉｓ（登録商標））Ｎｏ．２２１  １／３  ３；テキサス州ダラスのアメリカンパッドアンドペーパーカンパニー（Ａｍｅｒｉｃａｎ  Ｐａｄ  ａｎｄ  Ｐａｐｅｒ  Ｃｏｍｐａｎｙ，  Ｄａｌｌａｓ，Ｔｅｘａｓ）
【００５９】
吊るし型ファイルホルダー：グローブワイズ（Ｇｌｏｂｅ−Ｗｅｉｓ（登録商標））Ｎｏ．４２１  １／５  赤；テキサス州ダラスのアメリカンパッドアンドペーパーカンパニー（Ａｍｅｒｉｃａｎ  Ｐａｄ  ａｎｄ  Ｐａｐｅｒ  Ｃｏｍｐａｎｙ，  Ｄａｌｌａｓ，Ｔｅｘａｓ）
【００６０】
カタログ用紙：フィッシャーサイエンティフィック（Ｆｉｓｈｅｒ  Ｓｃｉｅｎｔｉｆｉｃ）社カタログ９８／９９、プロジェクトディビジョン、ニュージャージー州スプリングフィールド
【００６１】
レポートカバー：ＡＣＣＯＰＲＥＳＳ（登録商標）Ｂｉｎｄｅｒ  Ｐ／Ｎ  ０４５００青；イリノイ州ウィーリングのＡＣＣＯ  Ｂｒａｎｄｓ社（ＡＣＣＯ  Ｂｒａｎｄｓ，Ｉｎｃ．，Ｗｈｅｅｌｉｎｇ，ＩＬ）
【００６２】
Ｆｉｖｅ・Ｓｔａｒホルダー：Ｐｏｃｋｅｔ  ａｎｄ  Ｐｒｏｎｇ＃３４００２；オハイオ州デイトンのミード社（Ｔｈｅ  Ｍｅａｄ  Ｃｏｒｐｏｒａｔｉｏｎ，  Ｄａｙｔｏｎ，Ｏｈｉｏ）
【００６３】
テープフラッグの非接着端部が各紙の端から延在するように、それぞれの紙の端部近くにテープフラッグを手で貼った。一定の温度と湿度の環境下で一晩状態調節を行った後、伸張剥離するテープフラッグを前記の図３ａ〜図３ｃで例示、説明したように手ではがした。各テープフラッグに関して、表面の損傷および／または接着剤の転移について目視により調べ、その結果を表１に示す。
【００６４】
【表１】
2005532433.tif 000002
【００６５】
表１に示すように、テープフラッグを取り除いた後、用いた紙類のうち５種には極めてかすかな表面損傷ができ、残りの紙には何ら表面損傷がなかった。また、６種の紙類のそれぞれからテープフラッグはきれいに外れた（即ち、紙に接着剤残留物を残さずに）。
【００６６】
非常にかすかな表面損傷がみられたのは、テストに供された紙類の繊細な特性に起因する部分もあるかもしれない。しかしながら、テープフラッグが伸びずに紙から剥がれるような場合、テープフラッグの終端部によって紙の表面から繊維が引っ張られることになり、伸張して取り外す工程の最後に紙の表面のかすかな損傷はかならず起こることがわかった。こうした紙表面の非常に些細な損傷も、テープフラッグを伸張して取り外す工程においてテープフラッグの終端部を紙に押し付けることによってなくすことができることがわかった。この他の剥離工程における表面損傷を防ぐための方法として、テープフラッグの終端部分に沿って貼り直し可能な接着剤を設けることなども認められるであろう。
【００６７】
上記に説明した発明の概念から逸脱することなく様々な変更や修正ができることは、当業者には明らかであろう。
【００６８】
例えば、伸張剥離可能なテープフラッグを基材に付着させた際に、テープフラッグが付着した基材が見えなくならないようにテープフラッグを透明にしてもよい。あるいは、伸張剥離可能なテープフラッグの端部が視覚的に目立つようにするため、端部を印刷または染色で明るい色（例えば、赤、緑または黄色）に着色してもよい。また、指示を与えるしるしをテープフラッグに印刷してもよい。さらに、上記に示し、説明した各実施形態においては、第１および第２接着性領域は隣接している。しかし、第１および第２接着性領域を間隔をおいて配置してもよいことがわかるであろう。
【００６９】
このように、本発明の範囲を本願出願に記載の構造に限定すべきではなく、特許請求の範囲の文言によって記載の構造物およびそれらの均等物によってのみ限定されるものである。
【図面の簡単な説明】
【００７０】
【図１】本発明の伸張剥離可能なテープフラッグの第１実施形態の斜視図である。
【図２】図１の線２−２に沿った断面図である。
【図３ａ】本、文書などに貼り付けられた図１の伸張剥離可能なテープフラッグの側断面図である。
【図３ｂ】図３ａの本から部分的に取り外された図１の伸張剥離可能なテープフラッグの側断面図である。
【図３ｃ】図３ａの本から伸張して取り外される図１の伸張剥離可能なテープフラッグの側断面図である。
【図４】本発明の第２の実施形態の側断面図である。
【図５】本発明の第３の実施形態の側断面図である。
【図６】本発明の第４の実施形態の側断面図である。
【図７】本発明の第５の実施形態の側断面図である。
【図８】本発明の第６の実施形態の側断面図である。
【図９】本発明の第７の実施形態の側断面図である。
【図１０ａ−ｃ】本発明の第８の実施形態の側断面図である。
【図１１】本発明の伸張剥離可能なテープフラッグの束を収容したテープディスペンサー容器を示す。
【図１】
2005532433.tif 000003
【図２】
2005532433.tif 000004
2005532433.tif 000005
2005532433.tif 000006
【図４】
2005532433.tif 000007
【図５】
2005532433.tif 000008
【図６】
2005532433.tif 000009
【図７】
2005532433.tif 000010
【図８】
2005532433.tif 000011
【図９】
2005532433.tif 000012
【図１１】
2005532433.tif 000013
2005532433.tif 000014
【国際調査報告】
2005532433.tif 000015
2005532433.tif 000016